(57)【要約】【課題】人体が屋内に入ろうとしているという明確な行動があったことを検出して、照明器具と監視カメラとを作動させるようにした監視装置を提供する。【解決手段】監視区域内への人体侵入を検出するセンサと、扉の取手に人体が触れたことを検出するセンサと、照明器具と、監視カメラとを接続付加し、これらの制御を行う監視装置であって、両センサが検出したときには、照明器具と監視カメラとを作動させ、監視カメラにより撮影された映像を記録する制御手段を備える。【選択図】図１
2005311569.tif 000002
【特許請求の範囲】
【請求項１】
監視区域内への人体侵入を検出するセンサと、扉の取手に人体が触れたことを検出するセンサと、照明器具と、監視カメラとを接続付加し、これらの制御を行う監視装置であって、
上記両センサ双方が検出したときには、上記照明器具と上記監視カメラとを作動させ、上記監視カメラにより撮影された映像を記録する制御手段を備える監視装置。
【請求項２】
監視区域内への人体侵入を検出するセンサと、扉の鍵穴に鍵が差し込まれたことを検出するセンサと、照明器具と、監視カメラとを接続付加し、これらの制御を行う監視装置であって、
上記両センサ双方が検出したときには、上記照明器具と上記監視カメラとを作動させ、上記監視カメラにより撮影された映像を記録する制御手段を備える監視装置。
【請求項３】
監視区域内への人体侵入を検出するセンサと、照明器具による照明を検出するセンサと、照明器具と、監視カメラとを接続付加し、これらの制御を行う監視装置であって、
上記照明検出センサが上記照明器具の照明を検出していない状態で、上記人体侵入検出センサが人体侵入を検出したときには所定時間の計測を開始し、所定時間の間、上記人体侵入検出センサが検出しているときには、上記照明器具と上記監視カメラとを作動させ、上記監視カメラにより撮影された映像を記録する制御手段を備える監視装置。
【発明の詳細な説明】
【技術分野】
【０００１】
本発明は、防犯用途に使用される監視装置に関する。
【背景技術】
【０００２】
従来より、住居やオフィスなどにおいて、セキュリティ確保上重要な場所には防犯用途で監視装置を設置している。
【０００３】
下記特許文献１、２はこのような監視装置の構成を開示しており、特許文献１は、人体検出手段が一定エリアに人体が侵入したことを検出すると、当該エリアの撮影を開始し録画する構成であり、特許文献２は、人体検出手段が一定エリアに人体が侵入したことを検出した場合であって、一定エリアの明るさが一定以下の場合には、照明装置を作動させるとともにそのエリアの撮影を開始して録画する構成である。
【特許文献１】特開２００２−２１８４３７号広報
【特許文献２】特開２００３−２８４０４６号公報
【発明の開示】
【発明が解決しようとする課題】
【０００４】
ところで、上記した従来の構成では、人体検出手段の検出対象は、監視エリアに侵入した人体のみであるため、人体検出手段が屋外に存在する場合、物体が監視領域を経由しただけで照明器具と監視カメラの作動をさせてしまうため、犬や猫などが監視区域に入っただけで照明器具と監視カメラを作動させることとなり、録画テープや電力の無駄遣いとなる。
【０００５】
本発明は、このような問題を解決するために提案されるものであり、人体が屋内に入ろうとしているという明確な行動があったことを検出して、照明器具と監視カメラとを作動させるようにした監視装置を提供することを目的としている。
【課題を解決するための手段】
【０００６】
上記目的を達成するために、本発明の請求項１では、監視区域内への人体侵入を検出するセンサと、扉の取手に人体が触れたことを検出するセンサと、照明器具と、監視カメラとを接続付加し、これらの制御を行う監視装置であって、両センサが検出したときには、照明器具と監視カメラとを作動させ、監視カメラにより撮影された映像を記録する制御手段を備える。
【０００７】
ここに、監視区域内への人体侵入を検出するセンサとしては、たとえば、赤外線センサ、超音波センサ、光電センサなどが適用できる。一方、扉の取手に人体が触れたことを検出するセンサとしては、たとえば、接触センサが適用できる。なお、扉の取手に触れたことを検出するのではなく、侵入の意志をもった人体侵入のみを検出できるようにすべく、取手を回転させたことを検出するようにしてもよい。
【０００８】
請求項２では、監視区域内への人体侵入を検出するセンサと、扉の鍵穴に鍵が差し込まれたことを検出するセンサと、照明器具と、監視カメラとを接続付加し、これらの制御を行う監視装置であって、両センサが検出したときには、照明器具と監視カメラとを作動させ、監視カメラにより撮影された映像を記録する制御手段を備える。
【０００９】
ここに、扉の鍵穴に鍵が差し込まれたことを検出するセンサとしては、たとえば接触センサが適用できる。なお、単に鍵が差し込まれたことを検出するだけではなく、鍵以外のもの、たとえばピッキング器具の差込を検出すべく、鍵形状を判定できるセンサあるいは監視装置で判定し、形状が合致しない場合に、照明器具と監視カメラとを作動させるようにしてもよい。
【００１０】
請求項３では、監視区域内への人体侵入を検出するセンサと、照明器具による照明を検出するセンサと、照明器具と、監視カメラとを接続付加し、これらの制御を行う監視装置であって、照明検出センサが照明器具の照明を検出していない状態で、人体侵入検出センサが人体侵入を検出したときには所定時間の計測を開始し、所定時間の間、人体侵入検出センサが検出しているときには、照明器具と監視カメラとを作動させ、監視カメラにより撮影された映像を記録する制御手段を備える。
【００１１】
ここに、照明器具による照明を検出するセンサとしては、照度センサを適用できる。なお、照明器具による照明を検出する手法としてはこのような例には限られず、監視装置において、照明器具のオンオフ状態、あるいは、その調光度を判定するようにし、オフ状態であったり、調光度が所定以下の場合に、照明器具による照明を検出していないものと判断するようにしてもよい。
【発明の効果】
【００１２】
本発明の請求項１では、監視区域内への人体侵入を検出するセンサと、扉の取手に人体が触れたことを検出するセンサとが検出したときには、照明器具と監視カメラとを作動させ、監視カメラにより撮影された映像を記録するので、人体が屋内に入ろうとしているという明確な行動があったことを検出して、照明器具と監視カメラとを作動させることができ、録画テープや電力の無駄遣いとならない。
【００１３】
請求項２では、監視区域内への人体侵入を検出するセンサが検出するとともに、人体が屋内に入ろうとしていること、特に、鍵穴に鍵が差し込まれたことをもって、照明器具と監視カメラとを作動するので、特に、録画テープや電力の無駄遣いを防止し、セキュリティ確保上必要な場合にのみ、監視対象を記録できる。
【００１４】
請求項３では、照明検出センサが照明器具の照明を検出していない状態で、人体侵入検出センサが人体侵入を検出したときには所定時間の計測を開始し、所定時間の間、人体侵入検出センサが検出しているときには、照明器具と監視カメラとを作動させ、監視カメラにより撮影された映像を記録するので、たとえば、室内で照明もつけずに人体が所定時間動いていると、それを判定して自動的に照明をつけ、対象を撮影することができ、セキュリティ上有益にできる。
【発明を実施するための最良の形態】
【００１５】
以下に、本発明の実施の形態について説明する。
【実施例１】
【００１６】
図１は、本発明の監視装置の要部構成の一例を示すブロック図である。この監視装置１は、ＣＰＵなどで構成される制御部１０と、接触センサなどで構成され、ドアノブに手を触れたことを検出するドアノブ接触センサＳ１、超音波センサや赤外線センサなどで構成され、一定の監視エリア内への人体侵入を検出する人体侵入検出センサＳ２、照度センサなどで構成され、照明器具による照明を検出する照明検出センサＳ３とを有するセンサ部１１と、照明器具に駆動信号を出力する照明駆動部１２と、監視カメラに駆動信号を出力するカメラ駆動部１３と、監視カメラから映像信号を受け取り録画する録画部１４とを少なくとも備える。
【００１７】
このような構成の監視装置１は、図２に示すようにして使用される。すなわち、監視装置１は、住居やオフィスなどの適所に設けられる。そして、ドアノブ接触センサＳ１は監視エリアに入るための扉のドアノブに取り付けられ、人がドアノブに手を触れたことを検出する。なお、鍵穴部に取り付け、鍵などの物体が挿入されたことを検出するようにしてもよい。更には、センサＳ１が鍵形状を記憶しておき、形状の異なる物体、たとえばピッキング器具を挿入したことを判定し、検出信号を出力するようにしてもよい。
【００１８】
人体侵入検出センサＳ２は、セキュリティ確保上重要な箇所に設けられ、一定の監視エリアへの人体侵入を検出する。照明検出センサＳ３は、当該監視エリア付近の照明器具周辺に取り付けられ、照明器具の照度を判定し、一定以下になると検出信号を出力する。そして、監視カメラＣ、照明器具Ｌは、監視エリア付近に設けられる。
【００１９】
このような構成の監視装置１は、以下に示すようにしてセキュリティ監視を行う。これについて図３のフローチャートとともに説明する。この監視装置１は、監視モードの実行をユーザの操作により指示できる。このような監視モードにおいては、ドアノブ接触センサＳ１、人体検出センサＳ２の双方が検出信号を出力したときには（１００）、照明駆動部１２により照明器具Ｌを駆動させるとともに、カメラ駆動部１３により監視カメラＣを駆動させ、監視エリアの映像の撮影を開始し、録画部１４により録画する（１０１〜１０３）。
【００２０】
また、図４のフローチャートに示す処理により監視モードの実行もできる。このような監視モードにおいては、照明検出センサＳ３が照明器具Ｌの照明を検出していない状態であって、その状態で、人体侵入検出センサＳ２が検出信号を出力したときには（２００，２０１）、タイマをオンして所定時間の計測を開始し（２０２）、所定時間が経過しても、人体侵入検出センサＳ２からの検出信号が途切れなかった場合には（２０３，２０４）、タイマによる計測を終了し（２０５）、照明器具Ｌ、監視カメラＣの駆動をさせ、監視エリアの映像の撮影を開始し、録画部１４により録画する（２０６，２０７）。
【００２１】
一方、所定時間内に人体侵入検出センサＳ２からの検出信号が途切れた場合には（２０４）、ステップ２００の処理に移行し、次の人体侵入検出センサＳ２からの検出信号入力に備えて待機する。
【産業上の利用可能性】
【００２２】
本発明装置は、セキュリティ確保を目的としたセキュリティシステムに適用できる。
【図面の簡単な説明】
【００２３】
【図１】本発明の内部構成の一例を示す図である。
【図２】本発明の一使用態様を示す図である。
【図３】本発明の基本動作の一例を説明するためのフローチャートである。
【図４】本発明の基本動作の他例を説明するためのフローチャートである。
【符号の説明】
【００２４】
１  監視装置
１０  制御部
Ｓ１  ノアノブ接触センサ
Ｓ２  人体侵入検出センサ
Ｓ３  照明検出センサ
Ｃ  監視カメラ
Ｌ  照明器具
【図１】
2005311569.tif 000003
【図２】
2005311569.tif 000004
【図３】
2005311569.tif 000005
【図４】
2005311569.tif 000006